(57)【要約】【課題】  高密度実装の狭ピッチであっても、光アダプタに対する光コネクタの着脱を容易に行うことができる光コネクタ及びプッシュ・プル・タブを提供する。【解決手段】  ＭＰＯコネクタ１００にプッシュ・プル・タブ２００を取り付ける場合、作業者は、プッシュ・プル・タブ２００の着脱バー２３０の滑り止め２３６を指で摘まみ、開口２５２，２６２からラウンドケーブル１４０を通すことで、把持部２５０，２６０内にラウンドケーブル１４０を挿入する。そして、着脱バー２３０を正面方向に押す。ＭＰＯコネクタ１００をＭＰＯアダプタ６００に装着するときは、作業者は、プッシュ・プル・タブ２００の着脱バー２３０を指で摘まみ、ＭＰＯアダプタ６００に押し込む。逆に、ＭＰＯコネクタ１００をＭＰＯアダプタ６００から離脱するときは、着脱バー２３０の滑り止め２３６を指で摘まみ、ラウンドケーブル１４０の方向に引く。【選択図】図７
2019008651.tif 000002
【特許請求の範囲】
【請求項１】
光ファイバがインナーハウジングとアウターハウジングによって被覆されており、アウターハウジングにはスカート部が設けられており、インナーハウジングのラウンドケーブル側にはスプリングプッシュが設けられている光コネクタであって、
前記スカート部に設けられた第１の係合部と、
前記スプリングプッシュに設けられた第２の係合部と、
を備えたことを特徴とする光コネクタ。
【請求項２】
前記第１の係合部として、前記スカート部とアウターハウジングとの間に、スカート部側が高くなるように段差を設けるとともに、
前記第２の係合部として、前記スプリングプッシュのラウンドケーブル側に、球面の一部を形成する第１の曲面を設けたことを特徴とする請求項１記載の光コネクタ。
【請求項３】
請求項１記載の光コネクタを光アダプタに対して着脱するプッシュ・プル・タブであって、
前記光アダプタから前記光コネクタを離脱するときに、前記第１の係合部と係合する第３の係合部と、
前記光アダプタに前記光コネクタを装着するときに、前記第２の係合部と係合する第４の係合部と、
を備えたことを特徴とするプッシュ・プル・タブ。
【請求項４】
前記光コネクタの外側を覆う筒形状となっており、
前記光コネクタのアウターハウジング側を把持する第１の把持部と、
前記光コネクタのスプリングプッシュ側を把持する第２の把持部と、
該第２の把持部から前記ラウンドケーブル側に延設された着脱バーと、
を備えており、
前記第１及び第２の把持部は、前記ラウンドケーブルを通すことが可能な開口を備えており、
前記第１の把持部は、前記アウターハウジングを把持する腕を備えており、
前記第２の把持部は、前記スプリングプッシュ側を把持する腕を備えている、
ことを特徴とする請求項３記載のプッシュ・プル・タブ。
【請求項５】
前記第１の把持部の前記光コネクタの先端側に、内側に向かって傾斜するＣ面を形成したことを特徴とする請求項４記載のプッシュ・プル・タブ。
【請求項６】
前記プッシュ・プル・タブを、弾力性のある材料によって形成したことを特徴とする請求項４記載のプッシュ・プル・タブ。
【請求項７】
前記着脱バーと前記把持部との間に補強部を設けたことを特徴とする請求項４記載のプッシュ・プル・タブ。
【請求項８】
請求項２記載の光コネクタの外側を覆う筒形状となっており、光コネクタを光アダプタに対して着脱するプッシュ・プル・タブであって、
前記光コネクタのアウターハウジング側を把持する第１の把持部と、
前記光コネクタのスプリングプッシュ側を把持する第２の把持部と、
該第２の把持部から前記ラウンドケーブル側に延設された着脱バーと、
前記スカート部と係合するスカート係合手段と、
を備えており、
前記第１及び第２の把持部は、前記ラウンドケーブルを通すことが可能な開口を備えており、
前記スカート係合手段は、前記光アダプタから前記光コネクタを離脱するときに、前記スカート部の段差と係合し、
前記第１の把持部は、前記アウターハウジングを把持する腕を備えており、
前記第２の把持部は、前記スプリングプッシュ側を把持する腕と、前記光アダプタに前記光コネクタを装着するときに、前記スプリングプッシュの第１の曲面に当接する第２の曲面とを備えた、
ことを特徴とするプッシュ・プル・タブ。
【請求項９】
前記第１の把持部の前記光コネクタの先端側に、内側に向かって傾斜するＣ面を形成したことを特徴とする請求項８記載のプッシュ・プル・タブ。
【請求項１０】
前記スカート係合手段は、前記スカート部が露出する係合窓であり、
前記光アダプタから前記光コネクタを離脱するときに、前記係合窓の内側が、前記スカート部の段差と係合することを特徴とする請求項８記載のプッシュ・プル・タブ。
【請求項１１】
前記第１の把持部は、前記光アダプタから前記光コネクタを離脱するときに、前記スカート部の段差と係合する爪を備えたことを特徴とする請求項８記載のプッシュ・プル・タブ。
【請求項１２】
前記スプリングプッシュのラウンドケーブル側の第１の曲面が球面の一部を形成する凸曲面であり、
前記第２の把持部の第２の曲面が、前記第１の曲面と同一径の球面の一部を形成する凹曲面であり、
前記光アダプタに前記光コネクタを装着するときに、前記第１の曲面が前記第２の曲面と当接することを特徴とする請求項８記載のプッシュ・プル・タブ。
【請求項１３】
前記プッシュ・プル・タブを、弾力性のある材料によって形成したことを特徴とする請求項８記載のプッシュ・プル・タブ。
【請求項１４】
前記着脱バーと前記把持部との間に補強部を設けたことを特徴とする請求項８記載のプッシュ・プル・タブ。
【発明の詳細な説明】
【技術分野】
【０００１】
本発明は、光コネクタ及びプッシュ・プル・タブに関し、特に、峡ピッチで高密度実装を可能にする多心系光ファイバコネクタ（以下「ＭＰＯコネクタ」という）及びその着脱を行うプッシュ・プル・タブに関するものである。
【背景技術】
【０００２】
従来のＭＰＯ（Multi-fiber Push-on）コネクタとしては、例えば図９に示すラウンドケーブル用ＭＰＯコネクタがある。同図において、ＭＰＯコネクタ５００の正面側に露出した多心光ファイバ５０５は、ＭＴ（Mechanically Transferable）フェルール５１０の中に整列されており、ＭＴフェルール５１０はインナーハウジング５２０で被覆されており、更にインナーハウジング５２０はアウターハウジング５３０で被覆された構造となっている。ＭＰＯコネクタ５００の背面側に接続されたラウンドケーブル５４０は、ＭＰＯブーツ５５０で被覆されており、ラウンドケーブル５４０内の光ファイバがインナーハウジング５２０，ＭＴフェルール５１０内を通過し、多心光ファイバ５０５として露出している。アウターハウジング５３０のラウンドケーブル５４０側のスカート部５３２からは、インナーハウジング５２０が露出しており、ＭＰＯブーツ５５０との間にスプリングプッシュ５６０が設けられている。【０００３】
ＭＰＯアダプタ６００に対してＭＰＯコネクタ５００を装着するときは、スプリングプッシュ５６０を指で矢印Ｆ方向にＭＰＯコネクタ５００を押すか、ＭＰＯブーツ５５０を指で摘まんでＭＰＯコネクタ５００を押すことになる。ただし、ＭＰＯブーツ５５０を摘まんで押すと、光ファイバを破損させる恐れがある。逆に、ＭＰＯアダプタ６００からＭＰＯコネクタ５００を離脱するときは、アウターハウジング５３０を指で摘まんで矢印Ｆと反対の方向に引くことで、ＭＰＯコネクタ５００が外れる。【０００４】
このようなタイプのＭＰＯコネクタとしては、例えば、下記特許文献１に記載のものがある。
【先行技術文献】
【特許文献】
【０００５】
【特許文献１】特開平04-347806号公報
【発明の概要】
【発明が解決しようとする課題】
【０００６】
しかしながら、高密度実装を行うために、従来よりも狭いピッチでＭＰＯコネクタ５００やＭＰＯアダプタ６００（後述する図７参照）を並んでいるような場合、隣接するＭＰＯコネクタ５００との間隔が狭く、アウターハウジング５３０やスプリングプッシュ５６０に指が届かなくなる。このため、ＭＰＯアダプタ６００に対するＭＰＯコネクタ５００の着脱、すなわち装着と離脱（ＰＵＳＨ＆ＰＵＬＬ）が困難となる恐れがある。【０００７】
本発明は、以上の点に着したもので、その目的は、高密度実装の狭ピッチであっても、光アダプタに対する光コネクタの着脱を容易に行うことができる光コネクタ及びプッシュ・プル・タブを提供することである。他の目的は、光コネクタに対して容易に取り付けや取り外しを行うことができるプッシュ・プル・タブを提供することである。
【課題を解決するための手段】
【０００８】
本発明の光コネクタは、光ファイバがインナーハウジングとアウターハウジングによって被覆されており、アウターハウジングにはスカート部が設けられており、インナーハウジングのラウンドケーブル側にはスプリングプッシュが設けられている光コネクタであって、前記スカート部に設けられた第１の係合部と、前記スプリングプッシュに設けられた第２の係合部と、を備えたことを特徴とする。主要な形態の一つは、前記第１の係合部として、前記スカート部とアウターハウジングとの間に、スカート部側が高くなるように段差を設けるとともに、前記第２の係合部として、前記スプリングプッシュのラウンドケーブル側に、球面の一部を形成する第１の曲面を設けたことを特徴とする。【０００９】
本発明のプッシュ・プル・タブは、前記光コネクタを光アダプタに対して着脱するプッシュ・プル・タブであって、前記光アダプタから前記光コネクタを離脱するときに、前記第１の係合部と係合する第３の係合部と、前記光アダプタに前記光コネクタを装着するときに、前記第２の係合部と係合する第４の係合部と、を備えたことを特徴とする。主要な形態の一つによれば、前記光コネクタの外側を覆う筒形状となっており、前記光コネクタのアウターハウジング側を把持する第１の把持部と、前記光コネクタのスプリングプッシュ側を把持する第２の把持部と、該第２の把持部から前記ラウンドケーブル側に延設された着脱バーとを備えており、前記第１及び第２の把持部は、前記ラウンドケーブルを通すことが可能な開口を備えており、前記第１の把持部は、前記アウターハウジングを把持する腕を備えており、前記第２の把持部は、前記スプリングプッシュ側を把持する腕を備えている、ことを特徴とする。【００１０】
他の発明のプッシュ・プル・タブは、前記光コネクタの外側を覆う筒形状となっており、光コネクタを光アダプタに対して着脱するプッシュ・プル・タブであって、前記光コネクタのアウターハウジング側を把持する第１の把持部と、前記光コネクタのスプリングプッシュ側を把持する第２の把持部と、該第２の把持部から前記ラウンドケーブル側に延設された着脱バーと、前記スカート部と係合するスカート係合手段と、を備えており、前記第１及び第２の把持部は、前記ラウンドケーブルを通すことが可能な開口を備えており、前記スカート係合手段は、前記光アダプタから前記光コネクタを離脱するときに、前記スカート部の段差と係合し、前記第１の把持部は、前記アウターハウジングを把持する腕を備えており、前記第２の把持部は、前記スプリングプッシュ側を把持する腕と、前記光アダプタに前記光コネクタを装着するときに、前記スプリングプッシュの第１の曲面に当接する第２の曲面とを備えたことを特徴とする。【００１１】
主要な形態の一つによれば、前記第１の把持部の前記光コネクタの先端側に、内側に向かって傾斜するＣ面を形成したことを特徴とする。また、前記スカート係合手段は、前記スカート部が露出する係合窓であり、前記光アダプタから前記光コネクタを離脱するときに、前記係合窓の内側が、前記スカート部の段差と係合することを特徴とする。あるいは、前記第１の把持部は、前記光アダプタから前記光コネクタを離脱するときに、前記スカート部の段差と係合する爪を備えたことを特徴とする。【００１２】
他の主要な形態としては、前記スプリングプッシュのラウンドケーブル側の第１の曲面が球面の一部を形成する凸曲面であり、前記第２の把持部の第２の曲面が、前記第１の曲面と同一径の球面の一部を形成する凹曲面であり、前記光アダプタに前記光コネクタを装着するときに、前記第１の曲面が前記第２の曲面と当接することを特徴とする。また、前記プッシュ・プル・タブを、弾力性のある材料によって形成したことを特徴とする。更に他の形態としては、前記着脱バーと前記把持部との間に補強部を設けたことを特徴とする。本発明の前記及び他の目的，特徴，利点は、以下の詳細な説明及び添付図面から明瞭になろう。
【発明の効果】
【００１３】
本発明によれば、光アダプタから光コネクタを離脱するときは、光コネクタのスカート部に設けられた第１の係合部にプッシュ・プル・タブの第３の係合部を係合させ、光アダプタに光コネクタを装着するときは、光コネクタのスプリングプッシュに設けられた第２の係合部にプッシュ・プル・タブの第４の係合部を係合させることとしたので、高密度実装の狭ピッチであっても、光アダプタに対する光コネクタの着脱を容易に行うことができる。また、プッシュ・プル・タブの先端にＣ面を設けたり、弾力性のある材料で形成して、把持部の腕が開閉するようにしたので、光コネクタに対して容易にプッシュ・プル・タブの取り付けや取り外しを行うことができる。
【図面の簡単な説明】
【００１４】
【図１】本発明のＭＰＯコネクタの実施例の表側を見た斜視図である。
【図２】前記図１のＭＰＯコネクタの裏側を見た斜視図である。
【図３】本発明のプッシュ・プル・タブの実施例を示す斜視図である。
【図４】前記図３のプッシュ・プル・タブを示す図である。
【図５】前記ＭＰＯコネクタに前記プッシュ・プル・タブを取り付けた状態の表側を示す斜視図である。
【図６】前記ＭＰＯコネクタに前記プッシュ・プル・タブを取り付けた状態の裏側を示す斜視図である。
【図７】前記ＭＰＯコネクタが狭ピッチで多数配列された状態を示す斜視図である。
【図８】前記プッシュ・プル・タブを回転させた状態を示す斜視図である。
【図９】従来のＭＰＯコネクタの一例を示す斜視図である。
【発明を実施するための形態】
【００１５】
以下、本発明を実施するための最良の形態を、実施例に基づいて詳細に説明する。
【実施例１】
【００１６】
最初に、図１及び図２を参照しながら、本発明のＭＰＯコネクタの実施例について説明する。図１は本実施例のＭＰＯコネクタ１００を表側から見た図であり、図２は裏側から見た図である。これらの図において、ＭＰＯコネクタ１００の正面側に露出した多心光ファイバ１０５は、ＭＴフェルール１１０の中に整列されており、ＭＴフェルール１１０はインナーハウジング１２０で被覆されており、更にインナーハウジング１２０はアウターハウジング１３０で被覆された構造となっている。ＭＰＯコネクタ１００の背面側に接続されたラウンドケーブル１４０は、ＭＰＯブーツ１５０で被覆されており、ラウンドケーブル１４０内の光ファイバがインナーハウジング１２０，ＭＴフェルール１１０内を通過し、多心光ファイバ１０５として露出している。アウターハウジング１３０のラウンドケーブル１４０側のスカート部１３２からは、インナーハウジング１２０が露出しており、ＭＰＯブーツ１５０との間にスプリングプッシュ１６０が設けられている。【００１７】
ＭＴフェルール１１０のうち、雄側には両端にガイドピンが設けられるが、図示の例は雌側であるため、ガイドピンは設けられていない。インナーハウジング１２０の表面側には凸ガイド１２２が設けられており、ＭＰＯアダプタ側の凹溝（図示せず）と凹凸を合わせるようにすることで、表裏を間違えることなく、ＭＰＯアダプタに装着することができるようになっている。アウターハウジング１３０は、インナーハウジング１２０に対してスライド可能となっており、バネ手段（図示せず）で正面方向に付勢されている。【００１８】
本実施例におけるアウターハウジング１３０のスカート部１３２は、上下面において、一段高い段差１３４を有するように形成されている。また、アウターハウジング１３０の側面は曲面となっており、凹凸による滑り止め１３６が形成されている。一方、スプリングプッシュ１６０のＭＰＯブーツ１５０側には、球面の一部を構成する凸曲面１６２がプッシュ面として形成されている。更に、ＭＰＯブーツ１５０は、スプリングプッシュ１６０側からラウンドケーブル１４０に向かって縮径しており、柔軟に折り曲げできるように切除部１５２が形成されている。【００１９】
次に、図３及び図４を参照しながら、本実施例のプッシュ・プル・タブ２００について説明する。図３(A)はプッシュ・プル・タブ２００を表側から見た図であり、図３(B)はプッシュ・プル・タブ２００を裏側から見た図である。図４(A)〜(C)は図３の矢印Ｆ４Ａ〜Ｆ４Ｃ方向から見た図，図４(D)ないし(E)は同図(A)の矢印Ｆ４ＤないしＦ４Ｅ方向から見た図である。【００２０】
これらの図において、プッシュ・プル・タブ２００は、前記ＭＰＯコネクタ１００のアウターハウジング１３０からＭＰＯブーツ１５０を覆う筒形状となっており、正面側には、略Ｃ字状の開口面２１０が形成されている。この開口面２１０を形成する先端部には、ＭＰＯコネクタ１００の挿入を容易にするため、内側に向かって傾斜する装着用Ｃ面（テーパ面）２１０ａ〜２１０ｅがそれぞれ形成されている。プッシュ・プル・タブ２００の平面側には、上述したＭＰＯコネクタ１００のスカート部１３２が嵌まり込むとともに、その内側がスカート部１３２の段差１３４と係合する係合窓２２０が形成されている。プッシュ・プル・タブ２００の後ろ側には、その角部から着脱バー２３０が延長して形成されており、この着脱バー２３０とプッシュ・プル・タブ２００の本体との間には、扇状ないし略三角形状の補強部２３２，２３４が適宜設けられており、着脱バー２３０の端部には凹凸による滑り止め２３６が形成されている。【００２１】
プッシュ・プル・タブ２００の裏面側は、長手方向に切除されており、また、側面に切欠き２４０，２４２を形成することで、正面側ないし先端側の把持部２５０と、背面側ないし後端側の把持部２６０がそれぞれ形成されている。把持部２５０は、一対の腕２５４，２５６を備えており、把持部２６０は一対の腕２６４，２６６を備えている。先端側の把持部２５０は，上述したＭＰＯコネクタ１００のアウターハウジング１３０を把持するもので、裏面側が開口２５２となっており、正面側が上述した開口面２１０として開口している。また、アウターハウジング１３０を把持する際に、把持部２５０の腕２５４，２５６の爪先２５４ａ，２５６ａの先端２５４ｂ，２５６ｂがアウターハウジング１３０のスカート部１３２の段差１３４に係合するようになっている。なお、爪先２５４ａ，２５６ａの開口面側は、Ｖ字状に開いた形状となっており、この部分に上述した装着用Ｃ面２１０ｄ，２１０ｅが形成されている。【００２２】
他方、把持部２６０は、裏面側が開口２６２となっており、ＭＰＯコネクタ１００のスプリングプッシュ１６０とＭＰＯブーツ１５０の結合部位を、腕２６４，２６６で把持するもので、上述したスプリングプッシュ１６０の凸曲面１６２に当接する凹曲面２６８が内側に形成されている。図示の例では。凹曲面２６８の半径はＳＲとなっている（図４(A)ないし(B)参照）。【００２３】
以上のような構造のプッシュ・プル・タブ２００は、全体が柔軟性を有する樹脂によって形成されており、把持部２５０の腕２５４，２５６や、把持部２６０の腕２６４，２６６が開閉するようになっている。【００２４】
次に、図５〜図７も参照しながら、本実施例の作用について説明する。図５はＭＰＯコネクタ１００にプッシュ・プル・タブ２００を取り付けた状態の表面の様子を示し、図６はその反対側の様子を示す。また、図７は、ＭＰＯコネクタ１００が狭ピッチで多数配列された状態を示す。ＭＰＯコネクタ１００にプッシュ・プル・タブ２００を取り付ける場合、作業者は、プッシュ・プル・タブ２００の着脱バー２３０の滑り止め２３６を指で摘まみ、把持部２５０，２６０の開口２５２，２６２にラウンドケーブル１４０を通すことで、把持部２５０，２６０内にラウンドケーブル１４０を挿入する（図５の点線参照）。【００２５】
そして、着脱バー２３０を正面方向に押すと、プッシュ・プル・タブ２００先端の開口面２１０がＭＰＯコネクタ１００のアウターハウジング１３０のスカート部１３２に当たるようになる。上述したように、開口面２１０には、装着用Ｃ面２１０ａ〜２１０ｅがそれぞれ形成されており、把持部２５０の爪先２５４ａ，２５６ａの正面側がＶ字状に開いた形状となっていることから、把持部２５０の腕２５４，２５６が開いてスカート部１３２を乗り越える。加えて、スカート部１３２が開口２２０内に嵌まり込むようになる。一方、把持部２６０側では、その凹曲面２６８が、ＭＰＯコネクタ１００のスプリングプッシュ１６０の凸曲面１６２に当接する。このようにして、把持部２５０がアウターハウジング１３０を把持し、把持部２６０がスプリングプッシュ１６０とＭＰＯブーツ１５０の結合部位を把持して、ＭＰＯコネクタ１００に対するプッシュ・プル・タブ２００の取り付けが完了する（図５の実線参照）。【００２６】
ＭＰＯコネクタ１００をＭＰＯアダプタ６００に装着するときは、作業者は、プッシュ・プル・タブ２００の着脱バー２３０を指で摘まみ、ＭＰＯコネクタ１００のインナーハウジング１２０の凸ガイド１２２をＭＰＯアダプタ６００の凹溝と凹凸を合わせるようにして、ＭＰＯコネクタ１００をＭＰＯアダプタ６００に押し込む（図７参照）。すると、プッシュ・プル・タブ２００の把持部２６０によってＭＰＯコネクタ１００のスプリングプッシュ１６０が押されるようになり、ＭＰＯアダプタ６００に対してＭＰＯコネクタ１００が装着される。【００２７】
逆に、ＭＰＯコネクタ１００をＭＰＯアダプタ６００から離脱するときは、作業者は、プッシュ・プル・タブ２００の着脱バー２３０を指で摘まみ、ラウンドケーブル１４０の方向に引くと、プッシュ・プル・タブ２００の係合窓２２０の縁がＭＰＯコネクタ１００スカート部１３２の段差１３４に当たってスカート部１３２をバネ力に抗して押し戻すようになり、更に着脱バー２３０を引くことで、ＭＰＯコネクタ１００をＭＰＯアダプタ６００から外すことができる。【００２８】
以上のように、作業者は、ＭＰＯコネクタ１００に装着したプッシュ・プル・タブ２００の滑り止め２３６を摘まんで押したり引いたりすることで、ＭＰＯアダプタ６００に対するＭＰＯコネクタ１００の着脱を容易に行うことができる。従って、図７に示すように、ＭＰＯコネクタ１００が狭ピッチで並んでいる場合でも、ＭＰＯブーツ１５０側には隙間があって、プッシュ・プル・タブ２００の滑り止め２３６を指で摘まむことができ、ＭＰＯコネクタ１００の着脱をワンタッチで容易に行うことができる。【００２９】
加えて、ＭＰＯコネクタ１００のスプリングプッシュ１６０の凸曲面１６２に把持部２６０の凹曲面２６８が当接しており、両曲面１６２，２６８が、いずれも球面の一部を構成していることから、両曲面１６２，２６８は、云わば、球面ジョイントのように作用する。このため、ＭＰＯコネクタ１００とプッシュ・プル・タブ２００の形状・寸法の間に若干のクリアランスがあっても、安定して両曲面１６２，２６８が接触し、プッシュ・プル・タブ２００でＭＰＯコネクタ１００を安定して押して、ＭＰＯアダプタ６００に対するＭＰＯコネクタ１００の装着を良好に行うことができる。同様の理由で、着脱バー２３０の軸心（長手方向の中心）がＭＰＯコネクタ１００の軸心（長手方向の中心）からオフセットしていても、ＭＰＯコネクタ１００の着脱を容易に行うことができる。【００３０】
なお、プッシュ・プル・タブ２００をＭＰＯコネクタ１００から取り外すときは、図８に示すように、軸心に対してプッシュ・プル・タブ２００を９０°回転させれば、把持部２５０の腕２５４，２５６や把持部２６０の腕２６４，２６６が開き、プッシュ・プル・タブ２００をＭＰＯコネクタ１００から容易に取り外すことができる。【００３１】
このように、本実施例によれば、次のような効果がある。
(1)プッシュ・プル・タブ２００先端の開口面２１０の内側と、把持部２５０の爪先２５４ａ，２５６ａ先端側Ｖ字部に、それぞれＣ面２１０ａ〜２１０ｅを設けることとしたので、ワンタッチで容易にＭＰＯコネクタ１００にプッシュ・プル・タブ２００を取り付けることができる。
(2)プッシュ・プル・タブ２００を、樹脂などの弾力性のある成形材料を用いて形成することにより、ＭＰＯコネクタ１００に対するプッシュ・プル・タブ２００の取り付け・取り外しを容易に行うことができる。
(3)プッシュ・プル・タブ２００の把持部２５０，２６０にそれぞれ開口２５２，２６２を設け、腕２５４，２５６や腕２６４，２６６が開くようにしたので、プッシュ・プル・タブ２００の剛性が和らぎ、これによっても、ＭＰＯコネクタ１００に対するプッシュ・プル・タブ２００の取り付け・取り外しを容易に行うことができる。【００３２】
(4)ＭＰＯコネクタ１００のスプリングプッシュ１６０側のプッシュ面である凸曲面１６２と、プッシュ・プル・タブ２００側の把持部２６０の凹曲面２６８を、同一半径の球面の一部となる曲面とすることにより、寸法・形状のクリアランスがあっても安定したＭＰＯアダプタ６００に対するＭＰＯコネクタ１００の装着が可能となる。ＭＰＯコネクタ１００とプッシュ・プル・タブ２００の中心の間にオフセットがあるような場合でも、同様に安定した装着が可能となる。
(5)アウターハウジング１３０のスカート部１３２を突出させて一段高い段差１３４を形成するとともに、プッシュ・プル・タブ２００側にスカート部１３２が嵌まり込む係合窓２２０を形成し、この係合窓２２０の内側が前記段差１３４と係合するようにしたので、スカート部１３２をバネ力に抗してスライドさせて、ＭＰＯアダプタ６００からＭＰＯコネクタ１００を容易に離脱させることが可能となる。
(6)加えて、アウターハウジング１３０を把持する際に、把持部２５０の腕２５４，２５６に設けられた爪先２５４ａ，２５６ａの先端２５４ｂ，２５６ｂがアウターハウジング１３０のスカート部１３２の段差１３４に係合する。これによっても、スカート部１３２をバネ力に抗してスライドさせて、ＭＰＯアダプタ６００からＭＰＯコネクタ１００を容易に離脱させることが可能となる。【００３３】
(7)高密度実装用に狭ピッチに配置されたＭＰＯコネクタ１００についても、プッシュ・プル・タブ２００を利用することで簡単にＭＰＯアダプタ６００に対するＭＰＯコネクタ１００の着脱を行うことができ、作業効率の向上を図ることができる。
(8)構造が簡単な１ピースタイプとなっており、ＭＰＯコネクタ１００に対するプッシュ・プル・タブ２００の取り付け・取り外しをワンタッチで行うことができる。
(9)ＭＰＯコネクタ１００の先端部分の形状に変更がないため、従来のＭＰＯアダプタ６００に対してそのまま適用することができる。【００３４】
なお、本発明は、上述した実施例に限定されるものではなく、本発明の要旨を逸脱しない範囲内において種々変更を加えることができる。例えば、以下のものも含まれる。
(1)前記実施例で示した形状，寸法は一例であり、必要に応じて適宜変更してよい。材質についても同様に、弾力性のある各種の素材を使用してよい。
(2)前記実施例では、ガイドピンがないタイプのＭＰＯコネクタについて説明したが、ガイドピンがあるものについても、同様に適用可能である。また、光ファイバの本数についても、特に限定されるわけではない。【００３５】
(3)前記実施例では、プッシュ・プル・タブ２００の係合窓２２０の内側がスカート部１３２の段差１３４に係合するようにしたが、窓でなくても、突起などが段差１３４に係合するようにするなど、各種の係合手段としてよい。また、段差１３４の代わりに凹凸形状（第１の係合部）をスカート部１３２に形成し、この凹凸に係合する凸凹形状（第３の係合部）をプッシュ・プル・タブ２００側に設けるなど、各種の係合手段を適用してよい。
(4)前記実施例では、スプリングプッシュ１６０側を凸曲面１６２（第２の係合部）とするとともに、把持部２６０側を凹曲面２６８（第４の係合部）としたが、凹凸は逆であってもよい。また、曲面以外の凹凸形状とするなど、各種の係合手段とすることを妨げるものではない。
【産業上の利用可能性】
【００３６】
本発明によれば、光アダプタから光コネクタを離脱するときは、光コネクタのスカート部に設けられた第１の係合部にプッシュ・プル・タブの第３の係合部を係合させ、光アダプタに光コネクタを装着するときは、光コネクタのスプリングプッシュに設けられた第２の係合部にプッシュ・プル・タブの第４の係合部を係合させることとしたので、高密度実装の狭ピッチであっても、光アダプタに対する光コネクタの着脱を容易に行うことができる。また、プッシュ・プル・タブの先端にＣ面を設けたり、弾力性のある材料で形成して、把持部の腕が開閉するようにしたので、光コネクタに対して容易にプッシュ・プル・タブの取り付けや取り外しを行うことができるので、狭ピッチに配列されたＭＰＯアダプタに対するＭＰＯコネクタの着脱に好適である。
【符号の説明】
【００３７】
１００：ＭＰＯコネクタ
１０５：多心光ファイバ
１１０：ＭＴフェルール
１２０：インナーハウジング
１２２：凸ガイド
１３０：アウターハウジング
１３２：スカート部
１３４：段差
１４０：ラウンドケーブル
１５０：ＭＰＯブーツ
１５２：切除部
１６０：スプリングプッシュ
１６２：凸曲面
１６２，２６８：両曲面
２００：プッシュ・プル・タブ
２１０：開口面
２１０ａ，２１０ｂ，２１０ｃ，２１０ｄ，２１０ｅ：Ｃ面
２２０：係合窓
２３０：着脱バー
２３２，２３４：補強部
２５０，２６０：把持部
２５２，２６２：開口
２５４，２５６：腕
２５４ａ，２５６ａ：爪先
２６０：把持部
２６４，２６６：腕
２６８：凹曲面
５００：コネクタ
５０５：多心光ファイバ
５１０：ＭＴフェルール
５２０：インナーハウジング
５３０：アウターハウジング
５３２：スカート部
５４０：ラウンドケーブル
５５０：ブーツ
５６０：スプリングプッシュ
６００：ＭＰＯアダプタ
【図１】
2019008651.tif 000003
【図２】
2019008651.tif 000004
【図３】
2019008651.tif 000005
【図４】
2019008651.tif 000006
【図５】
2019008651.tif 000007
【図６】
2019008651.tif 000008
【図７】
2019008651.tif 000009
【図８】
2019008651.tif 000010
【図９】
2019008651.tif 000011
【国際調査報告】
2019008651.tif 000012
2019008651.tif 000013
2019008651.tif 000014
2019008651.tif 000015